(57)【要約】      （修正有）【課題】弾性受け片と、刻印版とで紙片を挟着し刻印版に示された文字、図形などを紙片上へ立体的に表示する。【解決手段】受け板１と、押え板２の一端部を回動自在にかつ開放側に付勢して軸支し、前記受け板の先端部上へ、弾性受け片５を固定すると共に、中央部へ案内片６を設け、前記押え板の先端部の前記弾性受け片と対向する位置へ刻印版７を固定したことを特徴とする刻印器。【選択図】図１
0003118249.tif 000002
【実用新案登録請求の範囲】
【請求項１】
受け板と、押え板の一端部を回動自在にかつ開放側に付勢して軸支し、前記受け板の先端部上へ、弾性受け片を固定すると共に、中央部へ案内片を設け、前記押え板の先端部の前記弾性受け片と対向する位置へ刻印版を固定したことを特徴とする刻印器。
【請求項２】
受け板と、押え板の一端部を回動自在にかつ開放側に付勢して軸支し、前記受け板の先端部上へ、弾性受け片を固定すると共に、中央部へ被刻印物の先端形状に合せた形状の案内片を設け、前記押え板の先端部の前記弾性受け片と対向する位置へ刻印版又は捺印版を固定したことを特徴とする刻印器。
【請求項３】
受け板と、押え板の一端部を回動自在にかつ開放側に付勢して軸支し、前記受け板の先端部上へ、弾性受け片を固定すると共に、中央部へ被刻印物の先端形状に合せた形状の案内片を設け、前記押え板の先端部の前記弾性受け片と対向する位置へ浸透インク入れを付設した刻印版を固定したことを特徴とする刻印器。
【請求項４】
受け板と、押え板の一端部を回動自在にかつ開放側に付勢して軸支し、前記受け板の先端部上へ、弾性受け片を固定すると共に、中央部へ被刻印物の先端形状に合せた形状の案内片を設け、前記押え板の先端部の前記弾性受け片と対向する位置へ刻印版を固定し、前記案内片は受け板で成形したことを特徴とする刻印器。
【請求項５】
受け板と、押え板の一端部を回動自在にかつ開放側に付勢して軸支し、前記受け板の先端部上へ、弾性受け片を固定すると共に、中央部へ案内片を設け、前記押え板の先端部の前記弾性受け片と対向する位置へ刻印版を固定し、前記刻印版又は弾性受け片の両方又は一方を、受け板又は押え板に対し、引込型に付勢したことを特徴とする刻印器。
【考案の詳細な説明】
【技術分野】
【０００１】
この考案は、トイレットペーパーその他紙片等の端部へ刻印（又は捺印）することを目的とした刻印器に関する。
【背景技術】
【０００２】
従来一端を蝶着し、他端部へ印版を設けた改札器などが知られている。
【０００３】
また印版面に凹凸刻印し、これを紙などへ押しつけることにより凹凸紋章（浮彫り）を設けることが知られていた。
【特許文献１】実開平３−１２１８６４
【特許文献２】実開昭５５−１１５８６１
【考案の開示】
【考案が解決しようとする課題】
【０００４】
従来改札器などによって、切符に捺印することは知られているが、トイレットペーパーなどの初期使用時の先端部に刻印を施すことは知られていない。また明確な案内もない。従って、刻印については器具の開発もない問題点があった。
【０００５】
前記において、案内片がなければ、刻印をつける場所にばらつきを生じ、好ましくない場合もあった。
【０００６】
またスタンプ器においては、インク（印肉）などで着色することは考えられているが、従来公知の印は、何れも平面捺印であって、紙片等に立体印影を表現することができない問題点もあった。また捺印の場合も紙片の案内がない問題点があった。
【課題を解決するための手段】
【０００７】
この考案は、受け板側に弾性受け片を取付けると共に案内片を設け、押え板側に、前記弾性受け片と対向して、刻印片を設けることにより、前記従来の問題点を解決したのである。
【０００８】
即ちこの考案は、受け板と、押え板の一端部を回動自在にかつ開放側に付勢して軸支し、前記受け板の先端部上へ、弾性受け片を固定すると共に、中央部へ案内片を設け、前記押え板の先端部の前記弾性受け片と対向する位置へ刻印版を固定したことを特徴とする刻印器であり、受け板と、押え板の一端部を回動自在にかつ開放側に付勢して軸支し、前記受け板の先端部上へ、弾性受け片を固定すると共に、中央部へ被刻印物の先端形状に合せた形状の案内片を設け、前記押え板の先端部の前記弾性受け片と対向する位置へ刻印版又は捺印版を固定したことを特徴とする刻印器である。
【０００９】
また他の考案は、受け板と、押え板の一端部を回動自在にかつ開放側に付勢して軸支し、前記受け板の先端部上へ、弾性受け片を固定すると共に、中央部へ被刻印物の先端形状に合せた形状の案内片を設け、前記押え板の先端部の前記弾性受け片と対向する位置へ浸透インク入れを付設した刻印版を固定したことを特徴とする刻印器であり、受け板と、押え板の一端部を回動自在にかつ開放側に付勢して軸支し、前記受け板の先端部上へ、弾性受け片を固定すると共に、中央部へ被刻印物の先端形状に合せた形状の案内片を設け、前記押え板の先端部の前記弾性受け片と対向する位置へ刻印版を固定し、前記案内片は受け板で成形したことを特徴とする刻印器である。前記押え板は、透明材質にするか、透孔を設けて案内が見えるようにすることが好ましい。
【００１０】
また、受け板と、押え板の一端部を回動自在にかつ開放側に付勢して軸支し、前記受け板の先端部上へ、弾性受け片を固定すると共に、中央部へ案内片を設け、前記押え板の先端部の前記弾性受け片と対向する位置へ刻印版を固定し、前記刻印版又は弾性受け片の両方又は一方を、受け板又は押え板に対し、引込型に付勢したことを特徴とする刻印器である。
【００１１】
前記において、弾性受け片は、刻印版面の凹凸に合せて変形するので、間に挟まれた紙片も同様に変形し（永久変形）、凹凸の形状模様（例えば立体紋）が成形出来る。
【００１２】
また印版側又は弾性受け片にインク入れを付設し、インクを浸透させれば、刻印面又は受け片面に滲出し、着色刻印とすることができる。
【００１３】
前記における案内片の紙片当接側は、紙片上の刻印位置を正確に決める為に設けたもので、紙片の先端形状に合致した当接形状にすることが好ましい。
【考案の効果】
【００１４】
この考案によれば、弾性受け片と、刻印版とで紙片を挟着するので、刻印版に示された文字、図形などを紙片上へ立体的に表示できる効果がある。
【００１５】
また案内片を設けたので、刻印又は捺印の位置を正確に確保することができる効果がある。
【考案を実施するための最良の形態】
【００１６】
この考案は、受け板と、押え板の一端部を回動自在に、かつ開放側に付勢して軸支し、前記受け板先端部上へ弾性受け片を固定すると共に、中央部へ被刻印物の先端形状に合せた形状の案内片を設け、前記押え板の先端部の、前記弾性受け片と対向する位置へ、刻印版を固定した刻印器を構成した。前記は、例えばトイレットペーパーの使用始期に、ペーパー先端部の折畳部へ刻印するもので、浮き彫り状の紋などが刻印される。
【実施例１】
【００１７】
この考案の実施例を図１に基づいて説明すると、受け板１と、押え板２の基部を蝶番３によって蝶着し、該部にスプリング４を介装して前記受け板１と、押え板２を開放側へ付勢してある。前記受け板１の先端部に弾性受け片５を固定し、中央部へ、被刻印物の先端形状と合致する形状６ａに成形した案内片６を固定する。前記押え板２の先端部下面に、刻印版７を固定し、刻印器１０を構成した。
【００１８】
図中８はインク容器、９はストラップ金具であり、刻印に着色する際にそのインクを収容する。
【００１９】
この考案を使用するには、刻印すべきトイレットペーパー１１を矢示１２のように挿し入れ、案内片６に合せた後、矢示１３のように押え板２を下圧すると、弾性受け片５と、刻印版７との間に、トイレットペーパー１１を挟み、立体的の刻印１４を印すことができる。
【実施例２】
【００２０】
この考案の他の実施例を図２に基づいて説明すると、受け板１と、押え板２の一側に蝶番３を介して開閉自在に軸支し、該部へスプリング４を介装して、前記受け板１と、押え板２とを開口側に付勢する。
【００２１】
前記受け板の中央部には、案内部１６を成形する。前記押え板２の先端部内側へ刻印版７を固定して、刻印器１５を構成した。図中８はインク容器、９はストラップ金具である。
【００２２】
この実施例２の使用方法は、紙片をセットし、押え板２を矢示１４のように下圧するもので、実施例１と同様である。
【００２３】
前記実施例における刻印版７と、弾性受け片５の取付けについて、別の実施例を図２（ｂ）、（ｃ）に基づいて説明する。
【００２４】
押え板２の先端部内側と外側に、刻印版７を収容する円形穴２ａ、２ｂを設け、両円形穴２ａ、２ｂの間に仕切板２ｃに、軸孔２ｄを設ける。前記円形穴２ａに、刻印版７を収容し、その軸７ａは、軸孔２ｄを挿通して円形穴２ｂ側に突出させ、該突出部にスプリング１７を装着し、前記軸７ａにナット１８を螺合してスプリング１７を定置させる。前記実施例において、軸７ａを矢示１９のように下圧すれば、刻印版７は、図中鎖線図示のように突出し、紙片などに刻印を付することができる（図２（ｂ））。
【００２５】
次に、図２（ｃ）について説明すれば、受け板１の先端部内外側面へ、弾性受け片５とその軸の収容される円形穴１ａ、１ｂを設け、円形穴１ａ、１ｂの間の仕切板２ｃに、軸５ａの軸孔２ｄを設ける。前記軸５ａにはスプリング１７を嵌装し、前記軸５ａにナット１８を螺合して前記スプリング１７を定着させる。
【００２６】
前記実施例において、矢示２０のように押し上げると、軸５ａはスプリング１７に抗して上昇するので、弾性受け片５も鎖線のように突出して、前記刻印版に当接し、紙片などに刻印をすることができる。
【００２７】
前記は、刻印版７と、弾性受け片５の移動について述べたが、その一方又は両方を可動にすることができる。
【実施例３】
【００２８】
この考案の実施例を、図３に基づいて説明すれば、金属板を成形した受け板２１の先端側へ弾性受け片５を固定し、金属板を成形し、前記受け板２１へ一部嵌合できるようにした押え板２２の先端内側へ、前記弾性受け片５と対向して、刻印版７を固定すると共に、前記弾性受け板２１と、押え板２２との他側を支軸２４で回転自在に取付け、前記支軸２４へ、前記受け板２１と押え板２２を開く側へ付勢する為のスプリング２３を装着してこの考案の刻印器２５を構成した。図中２６は、紙片などのストッパーであって、挿入深さを調整する。
【００２９】
前記実施例は、押え板２２を矢示２７のように下圧し、弾性受け片５と刻印版７で紙片などへ刻印するもので、この作用効果は、実施例１と同様につき、詳細な説明は省略する。
【図面の簡単な説明】
【００３０】
【図１】（ａ）この考案の実施例の斜視図、（ｂ）同じくトイレットペーパーの刻印済先端部の斜視図。
【図２】（ａ）同じく他の実施例の斜視図、（ｂ）同じく他の刻印版の取付状態の実施例を示す一部断面図、（ｃ）同じく受け片の取付状態の実施例を示す一部断面図。
【図３】同じく他の実施例の斜視図。
【符号の説明】
【００３１】
１  受け板
２  押え板
３  蝶番
４  スプリング
５  弾性受け片
６  案内片
７  刻印版
８  インク容器
１０  刻印器
【図１】
0003118249.tif 000003
【図２】
0003118249.tif 000004
【図３】
0003118249.tif 000005